(57)【特許請求の範囲】
【請求項１】
機体フレーム(1)の下部に走行部(2)を配設するとともに、機体フレーム(1)の前端部に刈取部(3)を昇降自在に配設してなるコンバインにおいて、刈取部(3)を所定降下位置まで降下させるためのオートセットスイッチ(122)と、刈取部(3)を所定上昇位置まで上昇させるためのオートリフトスイッチ(123)と、両スイッチ(122,123)によるスイッチ操作を有効又は無効なものとするように切り替えるためのオート操作切替スイッチ(117)とを具備するコンバインであって、
前記刈取部(3)に、同刈取部(3)が最も降下した位置を検出するための下限検出手段(91)を設けるとともに、同下限検出手段(91)は、刈取部(3)の分草板(20)を支持するための分草板支持フレーム(97)に下限検出スイッチ(98)を取付けて、オート操作切替スイッチ(117)をＯＮ状態とした場合に、オートセットスイッチ(122)を操作すると、刈取部(3)は自動的に下降し、その後、下限検出スイッチ(98)がＯＮ状態となると、オートセット解除リレー(151)が作動するとともに、刈取上昇ソレノイド(149)が作動して、下限検出スイッチ(98)がＯＦＦ状態となるまで刈取部(3)が一旦上昇すべく構成したことを特徴とするコンバイン。
【請求項２】
刈取部(3)の刈取機構と原動機とを刈取クラッチ(128)を介して連動連結し、刈取クラッチ(128)は、オートセットスイッチ(122)の操作に連動して、刈取機構と原動機とを接続状態にすべく構成したことを特徴とする請求項１記載のコンバイン。
【請求項３】
刈取部(3)の刈取機構と原動機とを刈取クラッチ(128)を介して連動連結し、刈取クラッチ(128)は、オートリフトスイッチ(123)の操作に連動して、刈取機構と原動機とを切断状態にすべく構成したことを特徴とする請求項１記載のコンバイン。
【請求項４】
刈取部(3)の刈取機構と原動機とを刈取クラッチ(128)を介して連動連結し、刈取クラッチ(128)は、主変速レバー(114)が前進位置にある場合には、オートセットスイッチ(122)の操作に連動して、刈取機構と原動機とを接続状態とし、オートリフトスイッチ(123)の操作に連動して、刈取機構と原動機とを切断状態とし、一方、主変速レバー(114)が中立又は後退位置にある場合には、刈取機構と原動機とを切断状態とすべく構成したことを特徴とする請求項１記載のコンバイン。
【発明の詳細な説明】
【０００１】
【発明の属する技術分野】
本発明は、コンバインに関するものである。
【０００２】
【従来の技術】
従来のコンバインとしては、機体フレームの下部に走行部を配設するとともに、機体フレームの前端部に刈取部を昇降自在に配設し、同刈取部の直後方位置に脱穀部を配設する一方、機体フレームの右側前部に運転部を配設し、圃場を走行しながら刈取部で刈り取った穀桿を脱穀部で脱穀すべく構成したものが知られている。
【０００３】
かかるコンバインは、運転部に設けた主変速レバーの把持部に、穀桿の刈取作業時に刈取部を所定の高さまで降下させるためのオートセットスイッチと、圃場への進入時や圃場からの退出時に刈取部を所定の高さまで上昇させるためのオートリフトスイッチとを設けていた。
【０００４】
そして、圃場進入時には、オートリフトスイッチを操作して、刈取部を所定の高さまで上昇させておくことにより、圃場周縁の畦に刈取部が衝突してしまうのを防止し、穀桿刈取作業時には、オートセットスイッチを操作して、刈取部を所定の高さまで降下させることにより、刈取部によって穀桿を刈り取り、さらに、圃場退出時には、再びオートリフトスイッチを操作して、刈取部を所定の高さまで上昇させておくことにより、圃場周縁の畦に刈取部が衝突してしまうのを防止していた。
【０００５】
【発明が解決しようとする課題】
ところが、上記従来のコンバインにあっては、主変速レバーの把持部にオートセットスイッチとオートリフトスイッチとを設けており、運転操作時に作業者の身体が誤ってオートセットスイッチやオートリフトスイッチに接触してしまい、圃場進入・退出時に刈取部が下降して畦に刈取部が衝突して、刈取部が破損してしまったり、或いは、穀桿刈取時に刈取部が上昇して、刈取部で穀桿を倒してしまい、穀桿刈取作業を円滑に行えないおそれがあった。
【０００６】
【課題を解決するための手段】
そこで、請求項１記載の本発明では、機体フレームの下部に走行部を配設するとともに、機体フレームの前端部に刈取部を昇降自在に配設してなるコンバインにおいて、刈取部を所定降下位置まで降下させるためのオートセットスイッチと、刈取部を所定上昇位置まで上昇させるためのオートリフトスイッチと、両スイッチによるスイッチ操作を有効又は無効なものとするように切り替えるためのオート操作切替スイッチとを具備するコンバインであって、前記刈取部に、同刈取部が最も降下した位置を検出するための下限検出手段を設けるとともに、同下限検出手段は、刈取部の分草板を支持するための分草板支持フレームに下限検出スイッチを取付けて、オート操作切替スイッチをＯＮ状態とした場合に、オートセットスイッチを操作すると、刈取部は自動的に下降し、その後、下限検出スイッチがＯＮ状態となると、オートセット解除リレーが作動するとともに、刈取上昇ソレノイドが作動して、下限検出スイッチがＯＦＦ状態となるまで刈取部が一旦上昇すべく構成することとした。
【０００７】
また、請求項２記載の本発明では、刈取部の刈取機構と原動機とを刈取クラッチを介して連動連結し、刈取クラッチは、オートセットスイッチの操作に連動して、刈取機構と原動機とを接続状態にすべく構成することとした。
【０００８】
また、請求項３記載の本発明では、刈取部の刈取機構と原動機とを刈取クラッチを介して連動連結し、刈取クラッチは、オートリフトスイッチの操作に連動して、刈取機構と原動機とを切断状態にすべく構成することとした。
【０００９】
また、請求項４記載の本発明では、刈取部の刈取機構と原動機とを刈取クラッチを介して連動連結し、刈取クラッチは、主変速レバーが前進位置にある場合には、オートセットスイッチの操作に連動して、刈取機構と原動機とを接続状態とし、オートリフトスイッチの操作に連動して、刈取機構と原動機とを切断状態とし、一方、主変速レバーが中立又は後退位置にある場合には、刈取機構と原動機とを切断状態とすべく構成することとした。
【００１０】
【発明の実施の形態】
本発明に係るコンバインは、機体フレームの下部に走行部を配設するとともに、機体フレームの前端部に刈取部を昇降自在に配設したものである。
【００１１】
しかも、刈取部を所定降下位置まで降下させるためのオートセットスイッチと、刈取部を所定上昇位置まで上昇させるためのオートリフトスイッチと、両スイッチによるスイッチ操作を有効又は無効なものとするように切り替えるためのオート操作切替スイッチとを具備したものである。
【００１２】
従って、オート操作切替スイッチによりスイッチ操作を無効状態にしておくことにより、作業者の身体が誤ってオートセットスイッチ又はオートリフトスイッチに接触しても、刈取部が作業者の意に反して昇降作動してしまうことがなく、穀桿刈取作業を円滑に行うことができるものである。
【００１３】
また、刈取部の刈取機構と原動機とを刈取クラッチを介して連動連結し、同刈取クラッチが、オートセットスイッチの操作に連動して、刈取機構と原動機とを接続状態にすべく構成することにより、オートセットスイッチを操作するだけで、直ちに穀桿刈取作業を行うことができ、これによっても穀桿刈取作業を円滑に行うことができるものである。
【００１４】
また、刈取部の刈取機構と原動機とを刈取クラッチを介して連動連結し、同刈取クラッチが、オートリフトスイッチの操作に連動して、刈取機構と原動機とを切断状態にすべく構成することにより、オートリフトスイッチを操作するだけで、刈取機構の作動を停止することができ、原動機による動力の浪費を防止することができるものである。
【００１５】
また、刈取部の刈取機構と原動機とを刈取クラッチを介して連動連結し、刈取クラッチが、主変速レバーが前進位置にある場合には、オートセットスイッチの操作に連動して、刈取機構と原動機とを接続状態とすべく構成することにより、オートセットスイッチを操作するだけで、直ちに穀桿刈取作業を行うことができ、穀桿刈取作業を円滑に行うことができるものである。
【００１６】
また、刈取クラッチが、主変速レバーが前進位置にある場合には、オートリフトスイッチの操作に連動して、刈取機構と原動機とを切断状態とすべく構成することにより、オートリフトスイッチを操作するだけで、刈取機構の作動を停止することができ、原動機による動力の浪費を防止することができるものである。
【００１７】
一方、刈取クラッチが、主変速レバーが中立又は後退位置にある場合には、オートリフトスイッチの操作に連動して、刈取機構と原動機とを切断状態とすべく構成することにより、原動機による動力の浪費を防止することができるものである。
【００１８】
【実施例】
以下に、本発明の実施の形態について図面を参照しながら説明する。
【００１９】
図１及び図２は、本発明に係るコンバインＡを示しており、同コンバインＡは、車体に機体フレーム１を設け、同機体フレーム１の下部に左右一対のクローラ式の走行部2,2 を配設し、機体フレーム１の前端に刈取部３を昇降自在に取付けるとともに、同刈取部３の直後方位置に脱穀部４を設け、同脱穀部４の直後方位置に排藁処理部５を設ける一方、機体フレーム１の右側前部に運転部６を設け、同運転部６の直後方位置に殻粒貯溜タンク７を設けている。８は、脱穀部４の左側上部に設けたフィードチェンである。
【００２０】
そして、コンバインＡは、圃場内を走行しながら、刈取部３によって穀桿を刈り取り、刈り取った穀桿を脱穀部４で脱穀できるようにしている。
【００２１】
刈取部３は、図１に示すように、機体フレーム１の左側前端部に立設した支柱10の上端に、刈取フレーム11を上下回動自在に取付けている。
【００２２】
そして、刈取フレーム11は、図３及び図４に示すように、左右一対の支柱10,10 の上端間に左右幅方向に伸延する筒状の回動支軸12を軸線廻りに回動自在に横架し、同回動支軸12の右側部より前下方へ向けて筒状の縦フレーム13を伸延し、同縦フレーム13の下端に左右幅方向に伸延する筒状の下側横フレーム14の中途部を取付け、同下側横フレーム14の左右両端部より前上方へ向けて筒状の立上がりフレーム15,15 を立上げ、両フレーム15,15 の上端間に上側横フレーム16を横架し、同上側横フレーム16の中途部と前記縦フレーム13の上部との間に上方へ凸状に湾曲する上側連結フレーム17を横架する一方、前記下側横フレーム14の左右側部及び中央部よりそれぞれ前方へ向けて連結フレーム18を延設して形成している。図中、19は下部搬送装置支持フレームである。
【００２３】
上記した刈取フレーム11には、植立する六条の穀稈を分草する分草板20を左右幅方向に一定の条間隔を開けて計七個取付けるとともに、各分草板20により分草された六条の穀稈を引起す穀稈引起し装置21と、同穀稈引起し装置21により引起された六条の穀稈の株元を掻き込む穀稈掻込み装置22と、同穀稈掻込み装置22により掻き込まれた穀稈の株元を刈り取る刈刃装置23と、同刈刃装置23により刈り取られた六条の穀稈の下部を脱穀部４側へ搬送する下部搬送装置24と、同穀稈の上部を脱穀部４側へ搬送する上部搬送装置25と、同穀稈の穂先部を搬送する穂先搬送装置26と、上・下部搬送装置25,24 から脱穀部４のフィードチェン８へ穀稈を受け渡す補助をする補助搬送装置27を取付けている。
【００２４】
以下、刈取フレーム11に取付けた各装置について具体的に説明する。
【００２５】
穀稈引起し装置21は、左右に隣接する分草板20,20 間の直後方位置に上下方向に伸延する引起しケース30を計六個立設し、各引起しケース30の上部と前記上側横フレーム16との間に計六個の引起し駆動ケース66を介設し、各引起しケース30内に多数の引起しタイン31a を上下方向に回行可能に取付けた引起し機構31を設けるとともに、同引起し機構31は、各引起しタイン31a が上下移動時に進出し、かつ、下方移動時に退入すべく構成している。
【００２６】
穀稈掻込み装置22は、上記各引起しケース30の直後方位置に、タイン付掻込みベルト32とスターホイル33とを上下に対向させて配置している。図中、87はテンションプーリである。
【００２７】
下部搬送装置24は、左側部の二条分の穀稈の下部を挟扼して後方へ搬送する左側下部搬送機構34と、中央部の二条分の穀稈の下部を挟扼して後方へ搬送する中央下部搬送機構35と、右側部の二条分の穀稈の下部を挟扼して後方へ搬送する右側下部搬送機構36と、これら搬送機構34,35,36により搬送された穀稈の下部を挟扼してフィードチェン８へ搬送する縦搬送機構37とを具備している。
【００２８】
そして、これら搬送機構34,35,36は、基本的に搬送チェン34a,35a,36a と、これら搬送チェン34a,35a,36a の各穀稈搬送路と対向させて配置した挟扼体34b,35b,36b とを具備し、搬送チェン34a,35a,36a 及び挟扼体34b,35b,36b によって穀稈を挟扼するように構成しており、縦搬送機構37も同様に構成している。
【００２９】
また、各下部搬送機構34,35,36には、図４に示すように、穀稈検出体85a,85b,85c を回動自在に取付けており、同穀稈検出体85a,85b,85c は、各下部搬送機構34,35,36によって搬送される穀稈が穀稈検出体85a,85b,85c を回動させることにより、その回動を検出して刈取条数を検出することができるものである。
【００３０】
また、縦搬送機構37は、始端部が穀稈通路Ｐの下方に位置しており、左右側下部搬送機構34,36 により搬送され、穀稈通路Ｐにおいて合流した穀稈の下部を挟扼してフィードチェン８へ確実に搬送するようにしている。
【００３１】
上部搬送装置25は、左側部の二条分の穀稈の上部を掻上げて後方へ搬送する左側上部搬送機構38と、中央部の二条分の穀稈の上部を掻上げて後方へ搬送する中央上部搬送機構39と、右側部の二条分の穀稈の上部を掻上げて後方へ搬送する右側上部搬送機構40とを具備しており、右側上部搬送機構40は、前側搬送体41と後側搬送体42とに二分割して形成している。
【００３２】
そして、これら搬送機構38,39 及び前側搬送体41には、多数の搬送タイン38a,39a,41a を前後方向に回行可能に取付けるとともに、各搬送タイン38a,39a,41a は、後方移動時に進出し、かつ、前方移動時に退入すべく取付けており、後側搬送体42も同様に構成している。
【００３３】
また、左側上部搬送機構38は左側下部搬送機構34と、中央上部搬送機構39は中央下部搬送機構35と、前側搬送体41は右側下部搬送機構36と、後側搬送体42は縦搬送機構37と、それぞれ上下に対向させて配置して、穀稈の上下部を確実に保持して搬送するようにしている。
【００３４】
穂先搬送装置26は、左側部穂先搬送機構43と中央部穂先搬送機構44と右側部穂先搬送機構45とを具備しており、これら穂先搬送機構43,44,45は、スターホイル33の直後方位置において、左側上部搬送機構38と中央上部搬送機構39と前側搬送体41の各上方で、かつ、これらの各穀稈搬送路を間に挟んで各搬送機構38,39 及び前側搬送体41と対向する位置に配置して、それぞれ二条分の穀稈の穂先部を搬送するようにしている。
【００３５】
そして、これら穂先搬送機構43,44,45は、六個の引起し駆動ケース66中、三個の引起し駆動ケース66より下方へ延設して形成した穂先搬送駆動ケース68に連動連結しており、各穂先搬送機構43,44,45には、複数の搬送タイン43a,44a,45a を前後方向に回行可能に取付けるとともに、各搬送タイン43a,44a,45a が後方移動時に進出し、かつ、前方移動時に退入すべく構成している。
【００３６】
補助搬送装置27は、縦搬送機構37の終端側部と後側搬送体42の終端側部との間に配置するとともに、フィードチェン８の始端側部8aに近接させて配置しており、同補助搬送装置27は下部搬送装置24の各搬送機構34,35,36,37 と同様に構成して、穀稈の中途部をフィードチェン８へ受け渡し搬送するようにしている。
【００３７】
また、刈取部３には、刈取部３が最も上昇した位置を検出するための上限検出手段90と、刈取部３が最も降下した位置を検出するための下限検出手段91とを設けている。
【００３８】
上限検出手段90は、図５及び図６に示すように、支柱10の上端に支持ブラケット92を取付け、同支持ブラケット92の前端で、かつ、縦フレーム13の直上方位置に上限検出スイッチ93を取付ける一方、回動支軸12の外周面前側位置に支軸94を突設し、同支軸94の先端にスイッチ押圧板95を取付けている。図中、96はブラケットである。
【００３９】
そして、縦フレーム13が上限位置まで回動すると、スイッチ押圧板95が上限検出スイッチ93を押圧するようにしている。
【００４０】
下限検出手段91は、図７に示すように、分草板20を支持するための分草板支持フレーム97に下限検出スイッチ98を取付ける一方、分草板支持フレーム97の先端に分草板20を支持軸99を介して上下回動自在に取付け、同支持軸99にスイッチ押圧板100 を上方に向けて突設している。図中、101 はスイッチロッド、102 は付勢バネである。
【００４１】
分草板20は、分草板支持フレーム97に基端部を上下回動自在に取付けた分草板支持体20a と、同分草板支持体20a の先端部に取付けた分草板本体20b とから構成している。尚、分草板本体20b の下端には圃場103 の上面に沿って滑動するフロート104 を連設し、一方、分草板支持フレーム97には運転部６に設けた分草板ロックレバー105 をワイヤー106 を介して連結して、分草板ロックレバー105 を前方に傾動させることにより、分草板20を上方へ向けて強制的に回動させたロック状態とする一方、分草板ロックレバー105 を後方に傾動させることにより、分草板20を上下回動自在としたロック解除状態とするようにしている。
【００４２】
そして、刈取部３が降下して分草板20のフロート104 が圃場103 の上面に当接すると、分草板20が上方へ向けて回動し、スイッチ押圧板100 が下限検出スイッチ98を押圧するようにしている。
【００４３】
次に、機体フレーム１に搭載したエンジンＥから刈取部３に設けた各装置へ動力を伝達するための動力伝達機構Ｂについて、図14を参照しながら説明する。
【００４４】
穀稈引起し装置21へは、エンジンＥ→ミッション部Ｍ→刈取クラッチ128 →刈取駆動軸50→縦伝動軸60→下側横フレーム14内に挿通した下側横伝動軸63→立上がりフレーム15内に挿通した立上がり伝動軸64→上側横フレーム16内に挿通した上側横伝動軸65→引起し駆動ケース66内に挿通した引起し駆動軸67→引起し出力軸81→穀稈引起し装置21のように動力が伝達される。
【００４５】
穂先搬送装置26へは、前記引起し駆動軸67より派生して、引起し駆動軸67→穂先搬送駆動軸69→穂先搬送出力軸82→穂先搬送装置26のように動力が伝達される。
【００４６】
フィードチェン８へは、エンジンＥ→ミッション部Ｍ→フィードチェンクラッチ129 →フィードチェン駆動軸54→フィードチェン８のように動力が伝達される。
【００４７】
補助搬送装置27及び後側搬送体42並びに右側下部搬送機構36及び穀稈掻込装置22へは、前記縦伝動軸60より派生して、縦伝動軸60→補助・後側搬送駆動軸61→補助・後側搬送立上がり軸70→補助搬送装置27及び後側搬送体42のように動力が伝達されるとともに、縦伝動軸60→右側下部搬送駆動軸71→右側下部搬送機構36→穀稈掻込み装置22のように動力が伝達され、さらに、前側搬送体41及び縦搬送機構37へは、前記右側下部搬送駆動軸71から派生して、右側下部搬送駆動軸71→前側搬送駆動軸72→前側搬送体41のように動力が伝達されるとともに、右側下部搬送駆動軸71→縦搬送第一駆動軸73→縦搬送第二駆動軸74→縦搬送機構37のように動力が伝達される。
【００４８】
刈刃装置23へは、前記下側横伝動軸63より派生して、下側横伝動軸63→刈刃駆動軸75,75 →刈刃装置23,23 のように動力が伝達される。
【００４９】
左側上・下部搬送機構38,34 及び中央上・下部搬送機構39,35 へは、前記立上がり伝動軸64より派生して、立上がり伝動軸64→左側上・下部搬送駆動軸76→左側上・下部搬送立上がり軸77→左側上・下部搬送機構38,34 →中央下部搬送機構35→中央上部搬送機構39のように動力が伝達される。
【００５０】
また、ミッション部Ｍは、走行駆動ミッション部78と走行駆動用伝動機構79を介して連動連結するとともに、脱穀部４に設けた扱胴4aと扱胴駆動用伝動機構80を介して連動連結している。
【００５１】
運転部６は、図８に示すように、キャビン107 の内部に床部108 を形成し、同床部108 上の左側半部にサイド操作コラム109 を配設するとともに、右側半部の前部にハンドルコラム110 し、同ハンドルコラム110 の上端にハンドル111 を取付け、同ハンドル111 の後方位置に座席112 を配設している。
【００５２】
サイド操作コラム109 には、前部に液晶表示体113 を設け、その後方位置に前後進切替レバーとしての主変速レバー114 と副変速レバー115 とを左右に隣接させて配設し、これらの後方位置に作業クラッチレバー116 を配設するとともに、主変速レバー114 の左側方位置に後述するオートセットスイッチ122 又はオートリフトスイッチ123 によるスイッチ操作を有効又は無効なものとするように切り替えるためのオート操作切替スイッチ117 を配設している。
【００５３】
主変速レバー114 は、図９に示すように、レバー本体118 の先端に把持部119 を形成し、同把持部119 の前側部に、刈取部３を強制的に上昇させるための刈取部上昇スイッチ120 と、刈取部３を強制的に降下させるための刈取部下降スイッチ121 とを左右に隣接させて配設するとともに、把持部119 の右側部に、刈取部３を所定降下位置まで降下させるためのオートセットスイッチ122 と、刈取部３を所定上昇位置まで上昇させるためのオートリフトスイッチ123 とを上下に隣接させて配設している。
【００５４】
そして、これらのスイッチ122,123 は、オート操作切替スイッチ117 がＯＮ状態の場合にのみ有効に機能するようにしている。
【００５５】
また、主変速レバー114 は、図10に示すように、レバー本体118 の基端部に半円弧状の検出板124 を連設しており、同検出板124 は外周面中央部を膨出させて検出体125 を形成する一方、検出板124 の直下方位置と前側下方位置に中立検出スイッチ126 と後進検出スイッチ127 とをそれぞれ配設している。
【００５６】
そして、主変速レバー114 が中立状態にある場合には、検出体125 が中立検出スイッチ126 を押圧し、主変速レバー114 を後方へ向けて傾動させて車体を後進させる状態にある場合には、検出体125 が後進検出スイッチ127 を押圧するようにしており、主変速レバー114 が前進・中立・後進のいずれの状態になっているか検出できるようにしている。
【００５７】
作業クラッチレバー116 は、図１１及び図１２に示すように、後方へ向けて傾動させた状態とすると、刈取クラッチ128 とフィードチェンクラッチ129 とがともに切断され、直立させた状態とすると、刈取クラッチ128 が切断される一方、フィードチェンクラッチ129 が接続され、更には、前方へ向けて傾動させた状態とすると、刈取クラッチ128 とフィードチェンクラッチ129 とがともに接続されるようにしている。
【００５８】
すなわち、機体フレーム１に作業クラッチレバー116 を前後回動自在に取付け、同作業クラッチレバー116 の基端部に、機体フレーム１に上下回動自在に取付けた回動板130 を連動連結し、同回動板130 に二股状の係止爪131 を形成する一方、機体フレーム１に、クラッチモータ132 を支持するためのモータ支持板133 を上下回動自在に取付け、同モータ支持板133 に係止ピン134 を突設し、同係止ピン134 を前記係止爪131 で係止しており、更には、クラッチモータ132 の回動軸135 にアーム136 の基端を連設し、同アーム136 の先端に刈取側ワイヤー137 及びフィードチェン側ワイヤー138 の基端をそれぞれ取付け、各ワイヤー137,138 の先端に刈取クラッチ128 とフィードチェンクラッチ129 をそれぞれ接続している。
【００５９】
刈取クラッチ128 は、ミッション部Ｍに連動連結したプーリ139 と刈取駆動軸50に連動連結したプーリ140 との間に伝動ベルト141 を懸回し、同伝動ベルト141 にクラッチプーリ142 を接離自在に設けており、同クラッチプーリ142 は、機体フレーム１に基端部を回動自在に取付けたクラッチアーム143 の先端に回動自在に軸支している。尚、フィードチェンクラッチ129 も刈取クラッチ128 と同様の構成となっている。
【００６０】
そして、作業クラッチレバー116 を後方へ向けて傾動させた状態とすると、図12(a) に示すように、回動板130 が下方へ向けて回動し、それに伴って、モータ支持板133 が下方へ向けて回動する。この状態では、刈取側ワイヤー137 及びフィードチェン側ワイヤー138 がともに弛緩しており、クラッチモータ132 を時計廻りに約90度回動しても、両ワイヤー137,138 は引張されず、従って、刈取クラッチ128 とフィードチェンクラッチ129 はともに切断された状態となる。
【００６１】
作業クラッチレバー116 を直立させた状態とすると、図12(b) に示すように、回動板130 が上方へ向けて回動し、それに伴って、モータ支持板133 が上方へ向けて回動する。この状態では、刈取側ワイヤー137 は依然として弛緩している一方、フィードチェン側ワイヤー138 は緊張しており、クラッチモータ132 を時計廻りに約90度回動すると、フィードチェン側ワイヤー138 だけが引張され、従って、刈取クラッチ128 は依然として切断された状態となっているが、フィードチェンクラッチ129 は接続された状態となる。
【００６２】
作業クラッチレバー116 を前方へ向けて傾動させた状態とすると、図12(c) に示すように、回動板130 が上方へ向けて回動し、それに伴って、モータ支持板133 が上方へ向けて回動する。この状態では、刈取側ワイヤー137 及びフィードチェン側ワイヤー138 はともに緊張しており、クラッチモータ132 を時計廻りに約90度回動すると、刈取側ワイヤー137 及びフィードチェン側ワイヤー138 はともに引張され、刈取クラッチ128 及びフィードチェンクラッチ129 はともに接続された状態となる。
【００６３】
次に、刈取部３の昇降動作について図13及び表１を用いて説明する。図13は、刈取部３を昇降させるための制御回路を示しており、図中、Ｖは電源端子、Ｇはグランド端子である。
【００６４】
【表１】
0004101953.tif 000002
【００６５】
（モード１）
刈取部下降スイッチ121 を操作すると、刈取下降リレー146 が作動し、それに伴って、刈取下降ソレノイド147 が作動して、同刈取下降ソレノイド147 に接続した刈取部昇降モータ（図示省略）が作動し、刈取部３が強制的に降下する。
【００６６】
（モード２）
刈取部上昇スイッチ120 を操作すると、刈取上昇リレー148 が作動し、それに伴って、刈取上昇ソレノイド149 が作動して、同刈取上昇ソレノイド149 に接続した刈取部昇降モータ（図示省略）が作動し、刈取部３が強制的に上昇する。
【００６７】
（モード３〜モード７）
オート操作切替スイッチ117 をＯＦＦ状態とした場合には、オートセットスイッチ122 やオートリフトスイッチ123 を操作しても、刈取部３は昇降作動せずに停止した状態を保持する。
【００６８】
このように、本実施例では、オートセットスイッチ122 やオートリフトスイッチ123 によるスイッチ操作を有効又は無効なものとするように切り替えるためのオート操作切替スイッチ117 を具備しているため、オート操作切替スイッチ117 によりスイッチ操作を無効状態にしておくことにより、作業者の身体が誤ってオートセットスイッチ122 又はオートリフトスイッチ123 に接触しても、刈取部３が作業者の意に反して昇降作動してしまうことがなく、穀桿刈取作業を円滑に行うことができる。
【００６９】
（モード８〜モード13）
オート操作切替スイッチ117 をＯＮ状態とした場合には、オートリフトスイッチ123 を操作すると、刈取部３は自動的に上昇し（モード９）、上限検出スイッチ93がＯＮ状態となると、オートリフト解除リレー150 が作動して、刈取部３は上昇作動を停止する（モード11）。
【００７０】
また、オート操作切替スイッチ117 をＯＮ状態とした場合には、オートセットスイッチ122 を操作すると、刈取部３は自動的に下降し（モード10）、その後、下限検出スイッチ98がＯＮ状態となると、オートセット解除リレー151 が作動するとともに、刈取上昇ソレノイド149 が作動して、下限検出スイッチ98がＯＦＦ状態となるまで刈取部３は一旦上昇する（モード12）。
【００７１】
（モード14〜モード17）
オート操作切替スイッチ117 をＯＦＦ状態とし、かつ、作業クラッチレバー116 を後方へ向けて傾動させた状態とすると、作業クラッチレバー116 に連動して作動する刈取スイッチ152 及びフィードチェンスイッチ153 がともにＯＦＦ状態となり、従って、両スイッチ152,153 に連動して作動するクラッチモータ駆動リレー154 が作動せず、たとえクラッチモータ作動スイッチ155 がＯＮ状態でクラッチモータ作動リレー156 が作動していても、クラッチモータ132 は駆動せず、刈取クラッチ128 とフィードチェンクラッチ129 とはともに切断される（モード14）。
【００７２】
また、オート操作切替スイッチ117 をＯＦＦ状態とし、かつ、作業クラッチレバー116 を直立させた状態とすると、刈取スイッチ152 はＯＦＦ状態となるが、フィードチェンスイッチ153 はＯＮ状態となり、フィードチェンクラッチリレー157 のみが作動し、それに伴って、クラッチモータ駆動リレー154 が作動するとともに、クラッチモータ132 が駆動して、フィードチェンクラッチ129 のみが接続される（モード15）。
【００７３】
また、オート操作切替スイッチ117 をＯＦＦ状態とし、かつ、作業クラッチレバー116 を前方へ向けて傾動させた状態とし、しかも、主変速レバー114 が中立又は後進状態にある場合には、中立検出スイッチ126 又は後進検出スイッチ127 がＯＮ状態となり、クラッチリレー158 と刈取クラッチリレー159 がともにＯＦＦ側に作動して、従って、クラッチモータ132 は駆動せず、刈取クラッチ128 とフィードチェンクラッチ129 とはともに切断される（モード16）。
【００７４】
一方、オート操作切替スイッチ117 をＯＦＦ状態とし、かつ、作業クラッチレバー116 を前方へ向けて傾動させた状態とし、しかも、主変速レバー114 が前進状態にある場合には、中立検出スイッチ126 及び後進検出スイッチ127 がＯＦＦ状態となり、フィードチェンクラッチリレー157 とクラッチリレー158 と刈取クラッチリレー159 がすべてＯＮ側に作動して、それに伴って、クラッチモータ駆動リレー154 が作動するとともに、クラッチモータ132 が駆動して、刈取クラッチ128 とフィードチェンクラッチ129 がともに接続される（モード17）。
【００７５】
（モード18〜モード22）
オート操作切替スイッチ117 をＯＮ状態とし、かつ、作業クラッチレバー116 を後方へ向けて傾動させた状態とすると、刈取スイッチ152 及びフィードチェンスイッチ153 がともにＯＦＦ状態となり、クラッチモータ駆動リレー154 が作動せず、従って、クラッチモータ132 は駆動せず、刈取クラッチ128 とフィードチェンクラッチ129 とはともに切断される（モード18）。
【００７６】
また、オート操作切替スイッチ117 をＯＮ状態とし、かつ、作業クラッチレバー116 を直立させた状態とすると、刈取スイッチ152 はＯＦＦ状態となるが、フィードチェンスイッチ153 はＯＮ状態となり、フィードチェンクラッチリレー157 のみが作動し、それに伴って、クラッチモータ駆動リレー154 が作動するとともに、クラッチモータ132 が駆動して、フィードチェンクラッチ129 のみが接続される（モード19）。
【００７７】
また、オート操作切替スイッチ117 をＯＮ状態とし、かつ、作業クラッチレバー116 を前方へ向けて傾動させた状態とし、しかも、主変速レバー114 が中立又は後進状態にある場合には、中立検出スイッチ126 又は後進検出スイッチ127 がＯＮ状態となり、クラッチリレー158 と刈取クラッチリレー159 がともにＯＦＦ側に作動して、従って、クラッチモータ132 は駆動せず、刈取クラッチ128 とフィードチェンクラッチ129 とはともに切断される（モード20）。
【００７８】
一方、オート操作切替スイッチ117 をＯＮ状態とし、かつ、作業クラッチレバー116 を前方へ向けて傾動させた状態とし、しかも、主変速レバー114 が前進状態にある場合に、オートセットスイッチ122 を操作すると、フィードチェンクラッチリレー157 とクラッチリレー158 と刈取クラッチリレー159 がすべてＯＮ側に作動して、それに伴って、クラッチモータ駆動リレー154 が作動するとともに、クラッチモータ132 が駆動して、刈取クラッチ128 とフィードチェンクラッチ129 がともに接続される（モード21）。
【００７９】
このように、本実施例では、オートセットスイッチ122 の操作に連動して、刈取クラッチ128 やフィードチェンクラッチ129 が接続状態となるように構成されているため、オートセットスイッチ122 を操作するだけで、直ちに穀桿刈取作業を行うことができ、これによっても穀桿刈取作業を円滑に行うことができる。
【００８０】
また、オート操作切替スイッチ117 をＯＮ状態とし、かつ、作業クラッチレバー116 を前方へ向けて傾動させた状態とし、しかも、主変速レバー114 が前進状態にある場合に、オートリフトスイッチ123 を操作すると、オートクラッチ解除リレー160 が作動して、クラッチリレー158 と刈取クラッチリレー159 がともにＯＦＦ側に作動して、従って、クラッチモータ132 は駆動せず、刈取クラッチ128 とフィードチェンクラッチ129 とはともに切断される（モード22）。
【００８１】
このように、本実施例では、オートリフトスイッチ123 の操作に連動して、刈取クラッチ128 やフィードチェンクラッチ129 が切断状態となるように構成されているため、オートリフトスイッチを操作するだけで、刈取機構の作動を停止することができ、原動機による動力の浪費を防止することができる。
【００８２】
本実施例では、図13に示すように、刈取部３を昇降を制御するために、各種スイッチやリレーを用いて制御回路を構成しており、CPU 等のコントローラや刈取部３の昇降位置を検出するためのセンサ等は一切用いていない。これらCPU やセンサを用いて制御回路を構成すると、コンバインＡが圃場を走行する際の振動や泥土の跳ね上げによってCPU やセンサが故障してしまい、刈取部３の昇降制御を良好に行えないおそれがあるが、本実施例のように各種スイッチやリレーによって制御回路を構成することによって、かかる不具合が発生することはなく、刈取部３の昇降制御を確実かつ良好に行うことができる。
【００８３】
【発明の効果】
本発明は、以上説明したような形態で実施され、以下に記載されるような効果を奏する。
【００８４】
（１）請求項１記載の本発明では、刈取部を所定降下位置まで降下させるためのオートセットスイッチと、刈取部を所定上昇位置まで上昇させるためのオートリフトスイッチと、両スイッチによるスイッチ操作を有効又は無効なものとするように切り替えるためのオート操作切替スイッチとを具備しているため、オート操作切替スイッチによりスイッチ操作を無効状態にしておくことにより、作業者の身体が誤ってオートセットスイッチ又はオートリフトスイッチに接触しても、刈取部が作業者の意に反して昇降作動してしまうことがなく、穀桿刈取作業を円滑に行うことができる。
しかも、刈取部に、同刈取部が最も降下した位置を検出するための下限検出手段を設けるとともに、同下限検出手段は、刈取部の分草板を支持するための分草板支持フレームに下限検出スイッチを取付けて、オート操作切替スイッチをＯＮ状態とした場合に、オートセットスイッチを操作すると、刈取部は自動的に下降し、その後、下限検出スイッチがＯＮ状態となると、オートセット解除リレーが作動するとともに、刈取上昇ソレノイドが作動して、下限検出スイッチがＯＦＦ状態となるまで刈取部が一旦上昇すべく構成されているため、オートセットスイッチを操作するだけで、直ちに穀桿刈取作業を行うことができ、これによっても穀桿刈取作業を円滑に行うことができる。
【００８５】
（２）請求項２記載の本発明では、刈取部の刈取機構と原動機とを刈取クラッチを介して連動連結し、同刈取クラッチが、オートセットスイッチの操作に連動して、刈取機構と原動機とを接続状態にすべく構成されているため、オートセットスイッチを操作するだけで、直ちに穀桿刈取作業を行うことができ、これによっても穀桿刈取作業を円滑に行うことができる。
【００８６】
（３）請求項３記載の本発明では、刈取部の刈取機構と原動機とを刈取クラッチを介して連動連結し、同刈取クラッチが、オートリフトスイッチの操作に連動して、刈取機構と原動機とを切断状態にすべく構成されているため、オートリフトスイッチを操作するだけで、刈取機構の作動を停止することができ、原動機による動力の浪費を防止することができる。
【００８７】
しかも、刈取部を上昇させた状態で刈取部の点検を行う際にも、刈取機構の作動を確実に停止させておくことができるので、点検時の安全性を向上させることができる。
【００８８】
（４）請求項４記載の本発明では、刈取部の刈取機構と原動機とを刈取クラッチを介して連動連結し、刈取クラッチが、主変速レバーが前進位置にある場合には、オートセットスイッチの操作に連動して、刈取機構と原動機とを接続状態とすべく構成されているため、オートセットスイッチを操作するだけで、直ちに穀桿刈取作業を行うことができ、穀桿刈取作業を円滑に行うことができる。
【００８９】
また、刈取クラッチが、主変速レバーが前進位置にある場合には、オートリフトスイッチの操作に連動して、刈取機構と原動機とを切断状態とすべく構成されているため、オートリフトスイッチを操作するだけで、刈取機構の作動を停止することができ、原動機による動力の浪費を防止することができる。
【００９０】
一方、刈取クラッチが、主変速レバーが中立又は後退位置にある場合には、オートリフトスイッチの操作に連動して、刈取機構と原動機とを切断状態とすべく構成されているため、原動機による動力の浪費を防止することができる。
【図面の簡単な説明】
【図１】本発明に係るコンバインの左側面図。
【図２】同平面図。
【図３】刈取部の側面図。
【図４】同正面図。
【図５】上限検出スイッチを示す側面図。
【図６】同平面図。
【図７】下限検出スイッチを示す側面図。
【図８】運転部を示す平面図。
【図９】主変速レバーの把持部を示す斜視図。
【図１０】主変速レバーを示す説明。
【図１１】刈取クラッチを示す説明図。
【図１２】刈取クラッチの作動を示す説明図。
【図１３】刈取部の昇降制御回路を示すブロック図。
【図１４】動力伝達機構を示す説明図
【符号の説明】
Ａ  コンバイン
１  機体フレーム
２  走行部
３  刈取部
４  脱穀部
５  排藁処理部
６  運転部
８  フィードチェン
114   主変速レバー
116   作業クラッチレバー
117   オート操作切替スイッチ
120   刈取部上昇スイッチ
121   刈取部下降スイッチ
122   オートセットスイッチ
123   オートリフトスイッチ
128   刈取クラッチ
129   フィードチェンクラッチ
132   クラッチモータ
【図１】
0004101953.tif 000003
【図２】
0004101953.tif 000004
【図３】
0004101953.tif 000005
【図４】
0004101953.tif 000006
【図５】
0004101953.tif 000007
【図６】
0004101953.tif 000008
【図７】
0004101953.tif 000009
【図８】
0004101953.tif 000010
【図９】
0004101953.tif 000011
【図１０】
0004101953.tif 000012
【図１１】
0004101953.tif 000013
【図１２】
0004101953.tif 000014
【図１３】
0004101953.tif 000015
【図１４】
0004101953.tif 000016